(57)【特許請求の範囲】
【請求項１】
リールの脚部を固定するためのリールシートであって、外周面に略一定幅の溝が螺旋状に形成された雄ネジ部（１０）を有する円筒状のシート本体（１）と、該シート本体（１）に軸線方向に移動可能に設けられた可動フード（３）と、該可動フード（３）の軸線方向外側においてシート本体（１）の雄ネジ部（１０）の外周面に外嵌されて可動フード（３）を軸線方向に移動すべく回転操作される回転部材（４）とを備え、雄ネジ部（１０）は溝間のピッチが連続的に変化したピッチ変化領域（１３）を少なくとも一部に有し、該ピッチ変化領域（１３）は、軸線方向内側に向けて溝間のピッチが小さくなり、シート本体（１）と回転部材（４）との径方向の間には、回転部材（４）の回転によって溝内をその長手方向に転動する係合ボール（２０）と補助ボール（２３）が設けられ、係合ボール（２０）は、一カ所設けられて回転部材（４）に対する相対位置が不変であり、補助ボール（２３）は、溝間のピッチの変化に対応するために回転部材（４）に対して軸線方向のみ相対移動可能であることを特徴とするリールシート。
【請求項２】
係合ボール（２０）に対して１８０°対向した位置に補助ボール（２３）が設けられている請求項１記載のリールシート。
【請求項３】
補助ボール（２３）が複数箇所に設けられている請求項１又は２記載のリールシート。
【請求項４】
雄ネジ部（１０）には、溝間のピッチが一定な小ピッチ領域（１２）と、溝間のピッチが一定且つ小ピッチ領域（１２）よりも大きい大ピッチ領域（１１）とが、ピッチ変化領域（１３）を介して連設され、小ピッチ領域（１２）は軸線方向内側にあり、大ピッチ領域（１１）は軸線方向外側にある請求項１乃至３の何れかに記載のリールシート。
【請求項５】
補助ボール（２３）は、回転部材（４）に形成された軸線方向の長孔（２４）に挿入されることにより回転部材（４）に対して軸線方向のみ相対移動可能である請求項１乃至４の何れかに記載のリールシート。
【請求項６】
請求項１乃至５の何れかに記載のリールシートを備えた釣竿。
【発明の詳細な説明】
【０００１】
【発明の属する技術分野】
本発明は、ネジ送り機構を備えたリールシート及び釣竿に関する。
【０００２】
【従来の技術】
リールを取り付けて使用される釣竿にはそのリールの脚部を固定するためのリール取付部を構成すべくリールシートが装着されている。該リールシートには種々あるが、釣竿の竿本体の外側に嵌装、固着されて使用されるパイプ状のリールシートが存在する。該リールシートは、リールの脚部をリールシートの軸線方向に挟持することによってリールを釣竿に固定する構成であり、リールの脚部を挟持するためのフードを前後一対備えている。一方のフードは軸線方向に移動不能な固定フードであり、他方のフードは軸線方向に移動可能な可動フードである。
【０００３】
一般にナット式と称される円筒状のリールシートでは、可動フードの軸線方向外側端部に移動用ナット（回転部材）が回転可能に連結されて、ネジ送り機構によって可動フードを軸線方向に移動させる構成となっている。即ち、移動用ナットは、円筒状のシート本体の外周面に形成された雄ネジ部に螺合していて、該移動用ナットを回転することにより、そのネジ送りによって可動フードを軸線方向に移動させる。
【０００４】
具体的には、リールを固定する場合、リールの脚部の一端部を固定フード内に挿入し、移動用ナットを回転して締め込み側に移動させることにより、可動フードを固定フードに接近させて可動フード内にリールの脚部の他端部を挿入させ、両フードでリールの脚部を挟持する。
【０００５】
一方、リールを外す場合には、移動用ナットを逆方向に回転させて緩み側に移動させ、移動用ナットに連結されている可動フードを緩み側、即ち、軸線方向外側に移動させる。このようにしてリールの脚部が両フードから抜け出るまで可動フードを移動させてリールをリールシート（釣竿）から取り外す。
【０００６】
【発明が解決しようとする課題】
このように、リールの着脱に際しては可動フードを軸線方向に比較的長い距離移動させる必要がある一方、リールを固定するための十分な締め込み力を確保すると共に移動用ナットの緩みを防止することも必要となる。
【０００７】
素早く移動させるためにはリード角を大きくしてリード、ピッチを大きくすることが必要となるが、リールを確実に固定するためにはリード、ピッチが小さい方が有利である。そのため、従来では、リールを確実に固定できるようにするためにピッチを小さくして締め付け力を確保していたが、その分、移動用ナットを回転させる回数も多くなり、リール着脱時における操作性の改善が求められる。
【０００９】
それゆえに本発明は、上記従来の問題点に鑑みてなされ、ネジ送りの操作性を従来に比して向上させることを課題とする。
【００１０】
【課題を解決するための手段】
本発明は、上記課題を解決すべくなされたものであり、本発明に係るリールシートは、リールの脚部を固定するためのリールシートであって、外周面に略一定幅の溝が螺旋状に形成された雄ネジ部を有する円筒状のシート本体と、該シート本体に軸線方向に移動可能に設けられた可動フードと、該可動フードの軸線方向外側においてシート本体の雄ネジ部の外周面に外嵌されて可動フードを軸線方向に移動すべく回転操作される回転部材とを備え、雄ネジ部は溝間のピッチが連続的に変化したピッチ変化領域を少なくとも一部に有し、該ピッチ変化領域は、軸線方向内側に向けて溝間のピッチが小さくなり、シート本体と回転部材との径方向の間には、回転部材の回転によって溝内をその長手方向に転動する係合ボールと補助ボールが設けられ、係合ボールは、一カ所設けられて回転部材に対する相対位置が不変であり、補助ボールは、溝間のピッチの変化に対応するために回転部材に対して軸線方向のみ相対移動可能であることを特徴とする。
【００１１】
尚、本発明においてリールの脚部側を軸線方向の内側とし、それと反対側を軸線方向の外側とする。即ち、リール固定側（締め込み側）が軸線方向の内側となり、リール開放側（緩み側）が軸線方向の外側となる。
【００１２】
この構成のリールシートにリールを固定する場合、回転部材を回転させて稼働フードを軸線方向内側、即ち、リール固定側に移動させると、ピッチ変化領域において軸線方向内側に向けて溝間のピッチが小さくなっているため、リールの固定が完了するリール固定位置から離れた箇所では速いスピードで移動させることができ、リール固定位置に近い箇所では遅いスピードで移動させて大きな締め付け力を確保することができる。また、シート本体と回転部材との径方向の間に係合ボールを一カ所介在させることにより、回転部材を回転させた際に係合ボールが回転部材と一体となって回転しながら溝内をその長手方向に転動するため、簡単な構成でありながらも、回転負荷の少ない状態で回転部材をスムーズに回転させることができる。更に、回転部材に対する相対位置が不変である一つの係合ボールに加えて、回転部材に対して軸線方向のみ相対移動可能な補助ボールを設けることにより、回転部材とシート本体との間のガタつきが抑制されると共に、回転部材の回転負荷も減少させることができ、耐久性も向上する。
【００１３】
更に、係合ボールに対して１８０°対向した位置に補助ボールが設けられていることが好ましい。補助ボールは係合ボールに対して何れの位置にも設けることができるが、特に１８０°対向した位置に設けることにより、回転部材のガタツキを効果的に抑制することができ、回転部材をより一層スムーズに回転させることができ、耐久性の点でも好ましい。
【００１４】
また、補助ボールが複数箇所に設けられていることが好ましく、これにより耐久性、スムーズさ、ガタツキの抑制効果が向上する。
【００２３】
その場合、雄ネジ部には、溝間のピッチが一定な小ピッチ領域と、溝間のピッチが一定且つ小ピッチ領域よりも大きい大ピッチ領域とが、ピッチ変化領域を介して連設され、小ピッチ領域は軸線方向内側にあり、大ピッチ領域は軸線方向外側にあることが好ましい。雄ネジ部の全領域をピッチ変化領域とすることもできるが、大小両ピッチ領域を設けてその間にピッチ変化領域を設けることにより、釣り人は、大小二つのピッチ領域の存在を明確に認識して回転部材を操作することができ、大ピッチ領域では楽に移動させることができ、小ピッチ領域ではしっかりと締め込んでリールを固定することができる。
【００２４】
【発明の実施の形態】
以下、本発明に係るネジ送り機構を使用したリールシートの一実施形態について、図１乃至図３を参酌しつつ説明する。
図１に示すように、本実施形態のリールシートは、一端側外周面に雄ネジ部１０を有するパイプ状（円筒状）のシート本体１（雄ネジ部材）と、該シート本体１の他端部に外装され固定された固定フード２と、シート本体１の一端部側に軸線方向に移動可能に外装された可動フード３と、該可動フード３の軸線方向外側において雄ネジ部１０に外嵌されて回転操作される移動用ナット４（回転部材）とを備えている。尚、シート本体１と固定フード２とが一体的に形成されていてもよい。
【００２５】
移動用ナット４は可動フード３の軸線方向外側端部に嵌合されて相対回転可能に連結されており、移動用ナット４を回転させると、後述するようにそのネジ送りによって移動用ナット４と可動フード３とは一体となって軸線方向の内外に移動し、これにより、両フード２，４間の離間距離を調節することができる。但し、移動用ナット４と可動フード３とを連結しない構成であってもよい。この場合でも移動用ナット４を軸線方向内側に向けて締め込むことで可動フード３を固定フード２側に接近させてリールの脚部を軸線方向に挟持させることができる。
【００２６】
尚、図示しないが、シート本体１の雄ネジ部１０には、軸線方向に伸びた直線状のガイド溝が形成されており、該ガイド溝に可動フード３の突部が係合することにより、該ガイド溝をガイドとして可動フード３はシート本体１に対して軸線方向に移動できるが回転不能となっている。
【００２７】
また、かかるリールシートは、図１に二点鎖線にて示す釣竿の竿本体１００に外装され固定される。その場合、可動フード３が竿先側となるようにすることも、また、竿尻側となるようにすることもできる。即ち、本実施形態における釣竿は、竿本体１００に上記パイプ状のリールシートが装着されることにより釣竿の外周面に雄ネジ部１０が設けられ、リールの脚部を固定するためのリール取付部がこのリールシートから構成されたものである。
【００２８】
図１に戻って、本実施形態においては、雄ネジ部１０と移動用ナット４の構成が従来とは異なる。まず、雄ネジ部１０は、外周面に略一定幅の溝が螺旋状に形成されたものであるが、従来のように溝間のピッチ（以下、単にピッチという）が一定のものとは異なり、その軸線方向中間部分にピッチが連続的に変化したピッチ変化領域を有している。具体的には、図２のように、雄ネジ部１０は軸線方向外側から順に三つの領域からなり、軸線方向一端部に設けられてピッチが一定な大ピッチ領域１１と、リールの脚部を載置する載置面５に隣接して、大ピッチ領域１１よりもピッチが小さく且つ一定な小ピッチ領域１２と、両ピッチ領域１１，１２間に設けられて大ピッチ領域１１のピッチＰ１から小ピッチ領域１２のピッチＰ２まで連続的にピッチが変化したピッチ変化領域１３とから構成されている。即ち、ピッチ変化領域１３は、軸線方向内側に向けてそのピッチが小さくなる。
【００２９】
また、この雄ネジ部１０の外周面に外嵌されて回転操作される移動用ナット４は、全体として円筒状であってその内周面には雌ネジ部がなく、平滑な内周面となっており、内径は雄ネジ部１０の外径と略等しい大きさに形成されている。従って、雄ネジ部１０の外周面と移動用ナット４の内周面とは摺動する関係にある。そして、移動用ナット４は、係合手段を介して雄ネジ部１０の溝の長手方向の一部と係合している。本実施形態においては、移動用ナット４と雄ネジ部１０との径方向の間に係合手段としての係合ボール２０が一つ介在されている。具体的には、図３のように、移動用ナット４には、内周面に開口するように丸孔２１が一カ所設けられている。該丸孔２１は移動用ナット４の外周面にも開口していて、外周面と内周面との間を径方向に貫通している。該丸孔２１に係合ボール２０が挿入されてその一部が内周面から突出しており、その突出した部分が雄ネジ部１０の溝に係合している。係合ボール２０は丸孔２１にがたつき無い状態に、即ち、相対位置不変に挿入されていて自転可能である。また、移動用ナット４にはリング２２が外嵌されていて該リング２２によって丸孔２１の外側が覆われており、従って係合ボール２０の内周面への突出量は一定となり、丸孔２１からの係合ボール２０の抜け出しも防止される。
【００３０】
この図３の状態から移動用ナット４を回転させると、移動用ナット４と係合ボール２０は一体となって軸線まわりに回転するが、係合ボール２０は溝内をその長手方向に転動し、移動用ナット４の内周面は雄ネジ部１０の外周面と摺動する。そして、移動用ナット４は溝をガイドとして軸線方向にネジ送りにより移動するが、大ピッチ領域１１から小ピッチ領域１２へと移動する移動途中におけるピッチ変化領域１３においても、一カ所の係合ボール２０のみが係合しているためにピッチの変化に対応することができ、スムーズに小ピッチ領域１２へと移動することができる。従って、リール固定位置Ｒから離れた箇所であって締め付け力が必要とならない大ピッチ領域１１においては少ない回転数で大きな移動量を得ることができる。即ち、速いスピードで軸線方向内側に向けて移動用ナット４、ひいては可動フード３を移動させることができる。そして、リール固定位置Ｒに近づくと、ピッチ変化領域１３を介して小ピッチ領域１２へと移行し、遅いスピードで可動フード３を移動させつつ、固定フード２と共にリールの脚部を軸線方向に締め付けることができる。その際、小ピッチ領域１２においてはピッチＰ２が小さい、即ち、リード角が小さいために、大きな締め付け力を確保することができてリールを確実に固定することができ、しかもリード角が小さいために移動用ナット４の自然な戻りも抑制することができる。
【００３１】
また、リールをリールシートから取り外す際には、逆の操作を行うが、その場合にも大ピッチ領域１１において移動用ナット４を素早く軸線方向外側に向けて移動させることができるので、リールを素早く取り外すことができる。
【００３２】
特に、ピッチ変化領域１３を介して大小両ピッチ領域１１，１２を設けているので、釣り人はピッチの違いを認識しやすく、移動用ナット４を回転操作してリールの着脱を容易に行うことができる。
【００３３】
また、係合手段として係合ボール２０を介在させて係合ボール２０が溝内を転動する構成なるため移動用ナット４をスムーズに回転させることができる。
【００３４】
尚、雄ネジ部１０の溝は図２のようにコの字状（角ネジ状や台形ネジ状）であってもよいし、図４のように係合ボール２０に合わせて円弧状に形成してもよい。
【００３５】
尚、図５のように、係合手段として更に、移動用ナット４と雄ネジ部１０との径方向の間に補助ボール２３を介在させてもよい。尚、図５（ロ）は移動用ナット４の一部の外観をリング２２を外した状態にて示している。
【００３６】
例えば、丸孔２１の１８０°対向した位置に軸線方向に伸びた長孔２４を径方向に貫通するように形成し、上述したリング２２によってこの長孔２４も覆うようにする。該長孔２４に補助ボール２３が軸線方向にのみ相対移動可能に且つ自転可能に挿入されていて、その一部が移動用ナット４の内周面から突出して溝に係合してその長手方向に転動する。溝内を補助ボール２３が転動する際、補助ボール２３が長孔２４内を軸線方向に移動するためピッチの変化に対応することができる。尚、長孔２４の軸線方向の長さは、ピッチの変化量よりも大きくする。このように、係合ボール２０の対向した位置に補助ボール２３を設けることにより、雄ネジ部１０と移動用ナット４との軸線を合わせた状態で移動用ナット４を回転させることができ、雄ネジ部１０の外周面と移動用ナット４の内周面との摺動ロスが少なくなり、移動用ナット４をスムーズに回転させることができる。また、補助ボール２３を設けると共に、特にそれを対向した位置に設けたことにより、係合ボール２０の負担も軽減されて係合ボール２０自体の耐久性も向上され、ひいてはリールシートの耐久性を向上させることができる。尚、補助ボール２３を複数箇所に設けてもよい。その場合、複数の補助ボール２３を互いに周方向に離間させて配置したり軸線方向に離間させて配置したりすることができる。
【００３７】
また、ボールを介在させる構成に代えて、移動用ナット４の内周面に係合突起を一カ所突設させてもよい。例えば、移動用ナット４を合成樹脂から射出成形により形成して係合突起を一体的に形成することも可能であるが、図６のように、移動用ナット４の内周面から先端部３０ａが突出するように、移動用ナット４に係合ピン３０を略径方向に装着し、その係合ピン３０の先端部３０ａから係合突起を構成してもよい。係合ピン３０の先端部３０ａは、溝に係合するものであるため、断面視円形であることが好ましく、また、係合ピン３０の先端部３０ａを球面状とすることも好ましい。尚、係合ピン３０を移動用ナット４に螺着させる構成とすれば、先端部３０ａの突出量を容易に調節できる。何れにしても係合ピン３０から係合突起を構成すれば、係合ピン３０を金属製とするなど、容易に強度を確保することができるため、耐久性の点で有利である。このように、係合突起を設ける構成では係合ボール２０を用いる構成に比して組み立てが容易となる。
【００３８】
尚、係合ピン３０の先端部３０ａの断面形状は上述のような円形に限られず、例えば角形であってもよい。断面視角形にする場合には、図７のように、大ピッチ領域１１と小ピッチ領域１２の何れにおいても溝に嵌り込むことができるような大きさの断面形状とする。
【００３９】
また、係合手段への負担を軽減する構成として、リード角の変化に対応して揺動する係合部材を係合手段として設けることも可能である。例えば、図８のように、周方向に伸びる略長方形状の係合部材４０を、移動用ナット４の内周面に凹設した凹部４１内に設ける。該係合部材４０の外面にはその長手方向の略中央部分に回動支点としての支軸４２が突設され該支軸にて移動用ナット４に回動可能に軸支されている。一方、係合部材４０の内面にはボール４３が長手方向に所定の間隔をおいて複数自転可能に嵌め込まれており、そのボール４３の一部が移動用ナット４の内周面から突出して雄ネジ部１０の溝内に係合する。そして、移動用ナット４を回転させながら軸線方向に移動させると、係合部材４０が支軸４２を支点として揺動してピッチの変化によるリード角の変化に対応する。尚、溝への係合量は中央のボール４３が大きく、両端部の二つのボール４３は小さい。尚、ボール４３が溝に係合する構成に代えて、係合部材４０の内面が部分的に溝に係合するように突出した構成であってもよい。
【００４０】
尚、ネジ送り機構を採用したリールシートについて説明したが、本発明のネジ送り機構はリールシートの他にも例えば尻栓やトップホルダー等、種々の部位に採用可能である。
【００４１】
また、雄ネジ部にピッチ変化領域を複数箇所設けてもよく、また、全領域をピッチ変化領域としてもよい。
【００４２】
更に、上記実施形態では一条ネジの場合について説明したが、多条ネジとしてもよい。多条ネジの場合、係合手段を複数設けることができるため回転部材の安定が図れる。例えば一条毎に一カ所ずつ係合ボール２０を配置することができる。従って、ネジの条数に対応した数の係合ボール２０等の係合手段を配置できるため、例えば、それらを周方向に分散させて配置することで係合手段が溝から外れにくくなり回転部材の安定を図ることができる。
【００４３】
【発明の効果】
以上のように、本発明に係るリールシートにあっては、軸線方向内側に向けて溝間のピッチが小さくなるピッチ変化領域とそれに対応した係合ボール及び補助ボールとを備えたことにより、可動フードを軸線方向に移動させるための回転部材の操作性を従来に比して向上させつつ、十分な締め付け力を確保することができ、リールの着脱が従来以上に容易になる。
【図面の簡単な説明】
【図１】本発明の一実施形態におけるリールシートを示す片側断面図。
【図２】同リールシートに使用されているシート本体の雄ネジ部の外観図。
【図３】同リールシートの要部拡大模式図。
【図４】同リールシートの雄ネジ部の模式図。
【図５】他の実施形態のリールシートの要部を示し、（イ）は断面図、（ロ）は外観図。
【図６】他の実施形態のリールシートの要部拡大断面図。
【図７】他の実施形態のリールシートの要部を示す模式図。
【図８】他の実施形態のリールシートの要部を示し、（イ）は断面図、（ロ）は（イ）のＰ−Ｐ線断面図。
【符号の説明】
１…シート本体、２…固定フード、３…可動フード、４…移動用ナット（回転部材）、５…載置面、１０…雄ネジ部、１１…大ピッチ領域、１２…小ピッチ領域、１３…ピッチ変化領域、２０…係合ボール（係合手段）、２２…リング、２３…補助ボール（係合手段）、３０…係合ピン（係合手段）、３０ａ…先端部（係合手段）、４０…係合部材（係合手段）
【図１】
0003948978.tif 000002
【図２】
0003948978.tif 000003
【図３】
0003948978.tif 000004
【図４】
0003948978.tif 000005
【図５】
0003948978.tif 000006
【図６】
0003948978.tif 000007
【図７】
0003948978.tif 000008
【図８】
0003948978.tif 000009